(57)【要約】【課題】複数の利用者が共用で画像形成を行なう場合でも画像形成後の記録紙の取り違えることのない画像形成装置及び画像形成システムを提供する。【解決手段】画像形成装置１０１は、操作部３０からの利用者情報を付した画像形成指示を受け付け、当該画像形成指示と不揮発メモリ１２３に格納された画像形成指示の履歴とに応じてＦＮＳ６０における画像形成後の記録紙の排出状態の変更を指示する。【選択図】図２
2007025208.tif 000002
【特許請求の範囲】
【請求項１】
当該装置を利用する利用者を特定する識別情報を予め格納する利用者情報管理手段と、
前記識別情報を付して画像形成を行なう指示を出力する画像形成指示手段と、
前記画像形成指示手段による画像形成後の記録媒体を排出トレイへ出力する出力手段と、
前記画像形成指示手段により出力される指示の履歴を記憶する記憶手段と、
前記画像形成指示手段により出力される指示と前記記憶手段に記憶された指示の履歴とにおける識別情報を比較した結果に応じて前記排出トレイへの出力状態を指示する出力状態指示手段と、
を備えたことを特徴とする画像形成装置。
【請求項２】
前記識別情報は、利用者が属するグループを特定する情報であることを特徴とする請求項１に記載の画像形成装置。
【請求項３】
前記排出トレイへの出力状態の指示は、前記画像形成後の記録媒体の排紙トレイにおける排出位置の変更であることを特徴とする請求項１又は２に記載の画像形成装置。
【請求項４】
前記排出トレイへの出力状態の指示は、前記画像形成後の記録媒体の向きの変更であることを特徴とする請求項１〜３のいずれか一項に記載の画像形成装置。
【請求項５】
前記排出トレイへの出力状態の指示は、前記画像形成後の記録媒体に関連付けてシート体の添付であることを特徴とする請求項１〜４のいずれか一項に記載の画像形成装置。
【請求項６】
画像形成装置のコンピュータに、
当該装置を利用する利用者を特定する識別情報を予め格納する利用者情報管理手段と、
前記識別情報を付して画像形成を行なう指示を出力する画像形成指示手段と、
前記画像形成指示手段による画像形成後の記録媒体を排出トレイへ出力する出力手段と、
前記画像形成指示手段により出力される指示の履歴を記憶する記憶手段と、
前記画像形成指示手段により出力される指示と前記記憶手段に記憶された指示の履歴とにおける識別情報を比較した結果に応じて前記排出トレイへの出力状態を指示する出力状態指示手段と、
を実行させることを特徴とするプログラム。
【発明の詳細な説明】
【技術分野】
【０００１】
本発明は、画像形成装置及びプログラムに関する。
【背景技術】
【０００２】
従来、記録紙に画像を形成する複写機、プリンタ又はファクシミリ等の画像形成装置は、画像形成後の記録紙を排出する排出トレイを備え、画像形成指示（ジョブ）に応じて複数部数出力する場合に印刷部数毎に排出トレイへの記録紙の排出位置を変更することで、各部の識別を容易にするものがある。また、画像形成装置には、複数の排出トレイを備えるものがあり、ジョブ毎に排出先を切り替えることで、各ジョブで画像形成される記録紙の識別を容易にするものが知られている。
【０００３】
上述した画像形成装置は、一人の利用者が単独で使用する場合はどの排出トレイに排出されてもすべてが一人の利用者によるものであるため、ジョブ毎に識別できる分、使い勝手を向上させることができた。しかし、複数の利用者が使用する場合は、自分が画像形成を指示した結果の記録紙がどこに排出されるのか不明であるため、例えジョブ毎に識別できたとしても未だに使いづらいものであった。
【０００４】
一つの画像形成装置を複数の利用者が利用した場合に各ジョブで画像形成される記録紙の識別を容易にする技術としては、複数の排紙トレイのそれぞれに利用者を割り当てて、異なる利用者からの指示による画像形成後の記録紙が同じ排紙トレイに重複して排出されることを防止するものがある（特許文献１を参照）。
【特許文献１】特開２００４−１５５５３６号公報
【発明の開示】
【発明が解決しようとする課題】
【０００５】
しかしながら、上記技術においても、装置に設けられた排出トレイの数よりも利用者の数が多い場合は重複して排出されて区別できなくなる虞があり、十分とは言えなかった。
【０００６】
本発明は、このような課題に鑑みてなされたものであり、その目的とするところは、複数の利用者が共用で画像形成を行なう場合でも画像形成後の記録紙の取り違えることのない画像形成装置及び画像形成システムを提供することである。
【課題を解決するための手段】
【０００７】
上記課題を解決するために、請求項１に記載の発明は、当該装置を利用する利用者を特定する識別情報を予め格納する利用者情報管理手段と、前記識別情報を付して画像形成を行なう指示を出力する画像形成指示手段と、前記画像形成指示手段による画像形成後の記録媒体を排出トレイへ出力する出力手段と、前記画像形成指示手段により出力される指示の履歴を記憶する記憶手段と、前記画像形成指示手段により出力される指示と前記記憶手段に記憶された指示の履歴とにおける識別情報を比較した結果に応じて前記排出トレイへの出力状態を指示する出力状態指示手段と、を備えたことを特徴とする。
【０００８】
請求項２に記載の発明は、請求項１に記載の発明において、前記識別情報は、利用者が属するグループを特定する情報であることを特徴とする。
【０００９】
請求項３に記載の発明は、請求項１又は２に記載の発明において、前記排出トレイへの出力状態の指示は、前記画像形成後の記録媒体の排紙トレイにおける排出位置の変更であることを特徴とする。
【００１０】
請求項４に記載の発明は、請求項１〜３のいずれか一項に記載の発明において、前記排出トレイへの出力状態の指示は、前記画像形成後の記録媒体の向きの変更であることを特徴とする。
【００１１】
請求項５に記載の発明は、請求項１〜４のいずれか一項に記載の発明において、前記排出トレイへの出力状態の指示は、前記画像形成後の記録媒体に関連付けてシート体の添付であることを特徴とする。
【００１２】
請求項６に記載の発明は、請求項１に記載の発明に示した主要な機能を実現させるためのプログラムを提供する。
【発明の効果】
【００１３】
本発明によれば、複数の利用者が共用で画像形成を行なう場合でも画像形成後の記録媒体の取り違えることのない画像形成装置を提供することができる。
【発明を実施するための最良の形態】
【００１４】
以下、図面を参照して、本発明の実施形態を詳細に説明する。
まず、本実施形態における構成の概略について説明する。
【００１５】
図１は、本発明である画像形成装置１０１の断面図である。
画像形成装置１０１は、図１に示すように、画像読取部２０、操作部３０、プリンタ部４０、給紙ユニット５０及びＦＮＳ６０（フィニッシャー）により構成される。画像読取部２０は、プリンタ部４０の上部に配置され、自動読取部７０及び原稿画像操作露光部２３を備える。自動読取部７０は、原稿トレイに載置された原稿を搬送機構により搬送して原稿画像操作露光部２３の方へ送り出す。また、自動読取部７０は、特に図示しないＣｄＳセルを備え、載置された原稿の位置・サイズ検出を行なう。原稿画像操作露光部２３は、搬送された原稿（又は原稿台に載置された原稿）に光源からの光を照射し、その反射光をＣＣＤ２１（Charge-Coupled  Device）により電気信号（アナログ画像信号）に変換して出力する。
【００１６】
操作部３０は、コピースタートキー、選択キー、決定キー、数値入力用のテンキー等を備え、これらキー操作信号を出力する。また、操作部３０は、ＬＣＤ３１（Liquid  Crystal  Display）等の表示画面を備え、その表示画面を覆うように設けられたタッチパネルを有し、電磁気誘導磁気歪式、感圧式等の座標読み取り原理でタッチ指示された座標を検出し、検出した座標を操作信号として出力する。
【００１７】
プリンタ部４０は、紙などである記録媒体Ｐに画像を形成する画像形成部４１、定着部４７及び記録媒体Ｐの搬送を行なう複数のローラなどにより構成される。
【００１８】
画像形成部４１は、ポリゴンミラーによりレーザビームを像担持体（感光体ドラム）上に走査して静電潜像を形成する露光部４０１、像担持体４１２、当該像担持体４１２を帯電させる帯電部４１３、像担持体４１２上にトナーを付着させる現像部４１４、像担持体４１２に付着したトナーにより記録媒体Ｐ上にトナー画像を形成する転写部４１５、像担持体４１２の周面上に残ったトナーをクリーニングするクリーニング部４１６により構成される。
定着部４７は、記録媒体Ｐに対し、熱定着処理を実行することにより、トナー画像を記録媒体Ｐに定着させる。
【００１９】
給紙ユニット５０は、手差しなどにより記録媒体Ｐを供給する手差し部５１、各種サイズの記録媒体Ｐを収容するカセット５２、５３、大量の記録媒体Ｐを格納可能な大容量カセット５４及び搬送ローラ等により構成され、指定されたサイズの記録媒体Ｐをプリンタ部４０に搬送する。
【００２０】
ＦＮＳ６０は、プリンタ部４０から出力される画像形成後の記録媒体Ｐに対して、パンチ穴開け、ステイプル、折り込み、挿入トレイ６４に載置されたシート体Ｐ２の挿入などの加工を加工部６２で施し、後述する処理に応じた排紙トレイ６３ａ、６３ｂの何れかのトレイの所定位置へ加工後の記録媒体Ｐを出力する。なお、排紙トレイ６３ａ、６３ｂへの記録媒体Ｐの出力は、当該トレイの移動や記録媒体Ｐの搬送経路の調整により、記録媒体Ｐのトレイ上への出力位置の調整（オフセット出力）や記録媒体Ｐの縦横／裏表の向きの変更が可能な構成である。また、シート体Ｐ２は、色紙や厚紙などの容易に識別可能なものであればいずれであってよく、その挿入は画像形成後の記録媒体Ｐの前後いずれか又は両方であってよい。
【００２１】
図２は、画像形成装置１０１の機能的構成を模式的に示すブロック図である。
画像形成装置１０１は、図２に示すように、前述した画像読取部２０、操作部３０、プリンタ部４０、給紙ユニット５０、ＦＮＳ６０及び自動読取部７０の各部を統括制御する制御本体部１０を備え、ＬＡＮＩＦ１９を介してＬＡＮ（Local  Area  Network）などの通信回線に接続するＰＣ（Personal  Computer）等の情報機器と相互に情報の送受信が可能に接続する。このため、画像形成装置１０１は、画像形成装置１０１の画像読取部２０で読み取る原稿に基づいた画像形成以外に、ＰＣからのデータに基づいた画像形成も可能な構成である。
【００２２】
制御本体部１０は、画像制御部１１、ＲＯＭ１２１、ＲＡＭ１２２、不揮発メモリ１２３、読取処理部１３、圧縮ＩＣ１４（Integrated  Circuit）、ＤＲＡＭ制御ＩＣ１５、画像メモリ１６、伸長ＩＣ１７、書込処理部１８及びＬＡＮＩＦ１９から構成される。
【００２３】
画像制御部１１は、ＣＰＵ（Central  Processing  Unit）等から構成され、ＲＯＭ１２１（Read  Only  Memory）に格納されている各種制御プログラムや処理プログラムに従い、ＲＡＭ１２２（Random  Access  Memory）を作業領域として不揮発メモリ１２３に格納された設定情報を元にした処理を行なうことで、画像形成装置１０１の各部の動作を集中制御する。具体的には、操作部３０やＬＡＮＩＦ１９から送られる指示（ジョブ）に応じて起動するプリンター、スキャナー、コピー等を行なう処理プログラムに従い、読取制御部２２、操作制御部３２、プリンタ制御部４２、ＦＮＳ制御部６１及びＡＤＦ制御部７１に制御信号を出力し、ジョブ毎の各種条件の設定を受け付けて、複写、印刷、画像データの読み取り等の制御を行なう。
【００２４】
不揮発メモリ１２３は、具体的にはＥＥＰＲＯＭ（Electrically  Erasable  and  Programmable  ROM）又はフラッシュメモリ（Flash  ROM）などの不揮発性の半導体メモリやＨＤ（Hard  Disc）である。この不揮発メモリ１２３が格納する情報は、画像形成指示（ジョブ）の履歴情報、名前やユニークな番号で識別可能な画像形成装置１０１を利用する利用者毎の設定情報、給紙ユニット５０におけるカセットの数やそのカセットに格納された記録媒体Ｐのサイズ構成及びＦＮＳ６０における排出トレイの数やその構成などの画像形成装置１０１の装置構成に関する情報である。
【００２５】
読取処理部１３は、ＣＣＤ２１から入力されるアナログ画像信号に、アナログ処理、シェーディング処理等の各種処理を施した後、Ａ／Ｄ変換を行なってデジタル画像データを生成する。生成された画像データは、圧縮ＩＣ１４に出力される。圧縮ＩＣ１４は、入力された画像データに圧縮処理を施してＤＲＡＭ制御ＩＣ１５に出力する。
【００２６】
ＤＲＡＭ制御ＩＣ１５は、画像制御部１１からの指示に従って、圧縮ＩＣ１４による画像データの圧縮処理及び伸長ＩＣ１７による圧縮画像データの伸張処理を制御するとともに、画像メモリ１６への画像データの入出力制御を行なう。例えば、画像読取部２０により読み取られた画像データの保存が指示されると、ＣＣＤ２１から入力された画像データの圧縮処理を圧縮ＩＣ１４により実行させて、圧縮画像データを画像メモリ１６の圧縮メモリ１６１に格納させる。また、圧縮メモリ１６１に格納された圧縮画像データの印刷指示が出力されると、圧縮メモリ１６１から圧縮画像データを読み出し、伸長ＩＣ１７により伸張処理を実行させてページメモリ１６２に格納させる。さらに、ページメモリ１６２に格納された被圧縮画像データの印刷が指示されると、ページメモリ１６２から被圧縮データを読み出して書込処理部１８に出力する。
【００２７】
画像メモリ１６は、ＤＲＡＭ（Dynamic  RAM）から構成される圧縮メモリ１６１、ページメモリ１６２を備える。圧縮メモリ１６１は圧縮画像データを格納するためのメモリであり、ページメモリ１６２は印刷前に印刷対象の非圧縮画像データを一時的に格納するためのメモリである。伸長ＩＣ１７は、入力される圧縮画像データに伸張処理を施す。
【００２８】
次に、画像制御部１１が行なう、画像形成指示に応じて記録媒体Ｐに画像形成し、当該画像形成後（後処理後）の記録媒体Ｐを排出する処理について図３〜図７を参照して説明する。
【００２９】
図３（ａ）は、画像形成を指示した利用者に基づいて画像形成後の記録紙を排出する排出処理を示すフローチャートであり、図３（ｂ）は、画像形成を指示した利用者が属するグループに基づいて画像形成後の記録紙を排出する排出処理を示すフローチャートであり、図４は、区別処理を示すフローチャートであり、図５は、画像形成指示時のタッチパネル画面を例示する図であり、図６は、ユーザ／グループ情報の選択又は設定時のタッチパネル画面を例示する図であり、図７（ａ）は、ユーザに基づいて排出する排出処理における排出トレイ毎の区別設定のタッチパネル画面を例示する図であり、図７（ｂ）は、グループに基づいて排出する排出処理における排出トレイ毎の区別設定のタッチパネル画面を例示する図である。
【００３０】
画像形成装置１０１における画像形成指示（ジョブ）は、図５に示すように、操作部３０のタッチパネル画面に表示されたステータス領域Ｗ１１、ジョブ領域Ｗ１２、設定領域Ｗ１３、倍率設定領域Ｗ１４、出力サイズ設定領域Ｗ１５及び応用設定領域Ｗ１６からなる設定画面から各種設定が行なわれ、コピースタートキーなどの画像形成開始を指示するボタンの押下により、その設定された条件で生成されて画像制御部１１へ出力される。
【００３１】
ステータス領域Ｗ１１は、画像形成装置１０１の各種ステータスを表示する領域である。ジョブ領域Ｗ１２は、ジョブの中から一つのジョブを選択して画像形成条件の設定／管理画面の表示を指示する領域である。設定領域Ｗ１３は、ステイプルやソートなどのＦＮＳ６０による出力形態、両面の選別又はコピーの濃度などを設定する領域である。倍率設定領域Ｗ１４は読み取った原稿や印刷すべき画像データの画像形成時における倍率を設定する領域である。出力サイズ設定領域Ｗ１５は、画像形成する記録媒体Ｐのサイズを選択して設定する領域である。
【００３２】
応用設定領域Ｗ１６は、ジョブに対して、予め設定された利用者毎の設定情報を選択して付加するボタンＢ１６１、出力（排紙）の設定を行なうボタンＢ１６２及びその他の設定を行なうボタンＢ１６３から構成される。なお、ボタンＢ１６１の選択による利用者毎の設定情報の付加が無い場合は、標準利用者として選択が有った場合の利用者と区別される構成であっても良い。
【００３３】
応用設定領域Ｗ１６において、ボタンＢ１６１が選択された場合は、図６に示すように、ステータス領域Ｗ１１、ユーザ選択領域Ｗ２１、編集指示領域Ｗ２２及び指示領域Ｗ２３からなる画面が操作部３０のタッチパネル画面に表示される。ユーザ選択領域Ｗ２１は予め設定された利用者とその利用者毎の設定情報を一覧表示してジョブに関する利用者を選択指示する領域であり、編集指示領域Ｗ２２は新たな利用者の追加やユーザ選択領域Ｗ２１で選択された利用者の設定情報の変更又は削除を指示する領域であり、指示領域Ｗ２３は全カウンタのリセットやこの画面での設定を終了して前の画面（図５を参照）に戻る指示を行なう領域である。
【００３４】
ユーザ選択領域Ｗ２１に表示される予め設定された利用者とその利用者毎の設定情報は、利用者毎に名前やユニークな番号で識別可能に設定する「Ｎｏ．ユーザ名」の各データに対して、所属するグループを示す「グループ」、ＦＮＳ６０における排出先を示す「排紙先」、複写・印刷・画像読み取り指示による各カウント数を示す「コピーカウント」・「プリンタカウント」・「スキャナカウント」、及び各カウント数の上限であり当該利用者が利用できる限界を示す「リミット」からなる。なお、「Ｎｏ．ユーザ名」に「標準」という名称で登録されたデータは、前述したボタンＢ１６１の選択による利用者毎の設定情報の付加が無い場合の標準利用者の設定である。
【００３５】
また、応用設定領域Ｗ１６において、ボタンＢ１６２が選択された場合は、図７に示すように、ステータス領域Ｗ１１、ユーザ／グループに基づく排紙設定である場合の排出処理における排出トレイ毎の区別設定を指示する区別設定領域Ｗ３１、及び標準状態へのリセットや設定を確定／キャンセルして前の画面に戻る指示を行なう指示領域Ｗ３２からなる画面が操作部３０のタッチパネル画面に表示される。区別設定領域Ｗ３１は、ボタンＢ３１１、Ｂ３１２でユーザ又はグループの選択を行なうユーザ／グループ選択領域Ｗ３１１と、そのユーザ又はグループの選択毎に各排出トレイのオフセット出力を行なう「オフセット」・用紙回転を行なう「用紙回転」・挿入トレイ６４からのシート体Ｐ２を搬送して行なう「色紙挿入」などによる区別処理の設定を行なうトレイ別設定領域Ｗ３１２とからなる。なお、図７（ａ）はボタンＢ３１２によりユーザが選択された画面であり、図７（ｂ）はボタンＢ３１１によりグループが選択された画面である。
【００３６】
画像制御部１１は、上述したタッチパネル画面で選択された項目に応じて利用者を識別する情報や設定情報を含むジョブを生成し、コピースタートキーなどの画像形成開始を指示するボタンの押下によりそのジョブを確定したジョブとしてＲＡＭ１２２の作業領域へ格納し、当該ジョブに基づいて、読取制御部２２、ＡＤＦ制御部７１への指示による原稿の読み込みを行ない、プリンタ制御部４２、６１への指示により給紙ユニット５０から記録媒体Ｐを搬送して画像形成と後処理を行ない、排紙トレイに後処理後の記録媒体Ｐを出力する。
【００３７】
画像形成後の記録媒体Ｐの排出処理において、画像制御部１１は、図３（ａ）に示すように、今回のジョブで設定された利用者情報を取得し（ステップＳ１１）、ＦＮＳ６０に備えられた排紙トレイが複数存在するか否かを判定する（ステップＳ１２）。
【００３８】
排紙トレイが複数存在する場合（ステップＳ１２：ＹＥＳ）、画像制御部１１は、今回のジョブで設定された利用者情報の「排出先」を参照し（ステップＳ１３）、その結果の排出トレイを今回排出する排出トレイに設定し（ステップＳ１４）、不揮発メモリ１２３に格納されたジョブの履歴情報から前回その排出トレイに排出した利用者を参照し（ステップＳ１５）、その前回の利用者と今回の利用者とが一致するか否かを判定する（ステップＳ１６）。
【００３９】
次いで、画像制御部１１は、前回の利用者と今回の利用者が一致する場合（ステップＳ１６：ＹＥＳ）はそのままステップＳ１４で設定した排出トレイに記録媒体Ｐを排出し（ステップＳ１８）、ジョブの履歴を今回のジョブに関する情報を含めたものに更新して（ステップＳ１９）終了する。なお、画像制御部１１は、前回の利用者と今回の利用者が一致しない場合（ステップＳ１６：ＮＯ）はステップＳ１４で設定した排出トレイに関して後述する区別処理を実行して（ステップＳ１７）、区別処理で設定した排出設定で記録媒体Ｐを排出し（ステップＳ１８）、同様にジョブの履歴を更新して（ステップＳ１９）終了する。
【００４０】
また、画像制御部１１は、排紙トレイが複数存在しない場合（ステップＳ１２：ＮＯ）、不揮発メモリ１２３に格納されたジョブの履歴情報から前回の利用者を参照して（ステップＳ２０）、その前回の利用者と今回の利用者とが一致するか否かを判定し（ステップＳ２１）、一致する場合（ステップＳ２１：ＹＥＳ）は前述したステップＳ１８に移行し、そのまま排出トレイに記録媒体Ｐを排出してジョブの履歴を更新して終了する。また、画像制御部１１は、一致しない場合（ステップＳ２１：ＮＯ）は前述したステップＳ１７に移行し、区別処理を実行して区別処理で設定した排出設定で記録媒体Ｐを排出してジョブの履歴を更新して終了する。
【００４１】
ステップＳ１７の区別処理において、画像制御部１１は、図４に示すように、利用者（ユーザ）に基づく排紙設定である場合の排出トレイ毎の区別設定（図７（ａ）を参考）を参照し（ステップＳ５１）、設定されている排出トレイと参照した区別設定とに基づいてオフセット、用紙回転又は色紙挿入のいずれの区別処理を行なうかを判定する（ステップＳ５２）。
【００４２】
次いで、画像制御部１１は、オフセットの場合は排出トレイにおけるオフセット値、すなわち記録媒体Ｐの出力位置の変更（ステップＳ５３）、用紙回転の場合は記録媒体Ｐの縦横／表裏などの用紙排出方向を変更（ステップＳ５４）、又は色紙挿入の場合はシート体Ｐ２を挿入する設定に変更し（ステップＳ５５）、その変更した値で排出設定を更新して（ステップＳ５６）終了する。
【００４３】
以上のように、画像形成装置１０１は、操作部３０からの利用者情報を付した画像形成指示を受け付け、当該画像形成指示と不揮発メモリ１２３に格納された画像形成指示の履歴とを元に、今回の画像形成指示に基づいて排出先として設定された排出トレイにおける前回の画像形成指示を行なった利用者が今回の利用者と異なる場合にＦＮＳ６０における画像形成後の記録紙の排出トレイへの排出状態を変更する構成である。このため、複数の利用者が共用で画像形成を行なう場合でも画像形成後の記録媒体Ｐを取り違える虞がない。
【００４４】
また、画像形成装置１０１は、複数ある排出トレイの中で同一のトレイに対して異なる利用者が画像形成後の記録媒体Ｐを排出する場合や、排出トレイが一つである場合に区別処理を行なう構成であるため、複数の利用者が同一のトレイを利用せざるを得ない場合においても画像形成後の記録媒体Ｐを取り違えることを防止することができる。
【００４５】
また、同一の排出トレイへ異なる利用者が画像形成後の記録紙を排出する場合の区別としては、記録媒体Ｐの出力位置の変更、記録媒体Ｐの縦横／表裏などの用紙排出方向の変更、色紙などのシート体Ｐ２の挿入などで行うことができる。
【００４６】
＜変形例＞
前述した図３（ａ）における処理は、図３（ｂ）に示すように、画像形成を指示した利用者が属するグループに基づいて画像形成後の記録紙を排出する処理であり、今回のジョブで設定された利用者情報におけるグループと不揮発メモリ１２３に格納されたジョブの履歴情報におけるグループとに基づく処理（ステップＳ３１〜Ｓ４１）であってよい。
【００４７】
具体的には、図３（ｂ）で示した処理は、前述した図３（ａ）の処理のうちで、ステップＳ１３、Ｓ２０を今回のジョブで設定されたグループを元にして行ない（ステップＳ３３、Ｓ４０）、ステップＳ２１における判断を前回のグループと今回のグループとを比較して行なう（Ｓ４１）構成に変更したものである。
【００４８】
以上のように、画像形成装置１０１は、このグループに基づく排出処理により、予め登録されたグループ毎に記録媒体Ｐの排出先や位置を区別することができる。
【００４９】
また、画像形成装置１０１は、図３（ｂ）に示した処理のステップＳ３６を利用者別で行うことで、先ずグループに基づく排出設定を行ない更に個別の利用者に基づく排出設定を行なう構成であってよい。この場合は、同一グループ内で利用者が異なる場合でも、排出トレイへの出力状態が変更され、取り違える虞がない。
【００５０】
なお、本実施の形態における記述は、本発明の一例を示すものであり、これに限定しない。本発明における画像形成装置１０１の細部構成及び細部動作に関しては、本発明の趣旨を逸脱しない範囲で適宜変更が可能である。例えば、本実施の形態では、単体の装置構成である画像形成装置１０１を例に説明したが、制御本体部１０が管理サーバ、画像読取部２０が画像読取装置、操作部３０が操作端末、プリンタ部４０が画像形成装置又はＦＮＳ６０がＦＮＳ装置（後処理装置）などであるシステム構成であってもよい。
【００５１】
また、本実施の形態では画像形成指示は操作部３０から行なわれる構成を示したが、ＬＡＮに接続するＰＣにおいて前述したタッチパネル画面と同様な指示画面を表示し、その画面に応じて入力される指示に基づいた画像形成指示による構成、つまり、外部機器からの利用者情報を付したプリンタ指示により画像形成を行なう形態であってよい。
【００５２】
また、画像形成装置１０１のタッチパネル画面による利用者の選択は、指紋、顔、ＩＣや磁気カードなどによる人物認証装置の認証結果に応じて認証された利用者情報を選択する構成であってもよい。
【図面の簡単な説明】
【００５３】
【図１】本発明である画像形成装置１０１の断面図である。
【図２】本発明である画像形成装置１０１の機能的構成を模式的に示すブロック図である。
【図３】（ａ）は、画像形成を指示した利用者に基づいて画像形成後の記録紙を排出する排出処理を示すフローチャートであり、（ｂ）は、画像形成を指示した利用者が属するグループに基づいて画像形成後の記録紙を排出する排出処理を示すフローチャートである。
【図４】区別処理を示すフローチャートである。
【図５】画像形成指示時のタッチパネル画面を例示する図である。
【図６】ユーザ／グループ情報の選択又は設定時のタッチパネル画面を例示する図である。
【図７】（ａ）は、ユーザに基づいて排出する排出処理における排出トレイ毎の区別設定のタッチパネル画面を例示する図であり、（ｂ）は、グループに基づいて排出する排出処理における排出トレイ毎の区別設定のタッチパネル画面を例示する図である。
【符号の説明】
【００５４】
１０１  画像形成装置
１０  制御本体部
１１  画像制御部（出力状態指示手段）
１２１  ＲＯＭ
１２２  ＲＡＭ
１２３  不揮発メモリ（利用者情報管理手段、記憶手段）
１３  読取処理部
１４  圧縮ＩＣ
１５  ＤＲＡＭ制御ＩＣ
１６  画像メモリ
１６１  圧縮メモリ
１６２  ページメモリ
１７  伸長ＩＣ
１８  書込処理部
１９  ＬＡＮＩＦ
２０  画像読取部
２１  ＣＣＤ
２２  読取制御部
２３  原稿画像操作露光部
３０  操作部（画像形成指示手段）
３１  ＬＣＤ
３２  操作制御部
４０  プリンタ部
４０１  露光部
４１  画像形成部
４１２  像担持体
４１３  帯電部
４１４  現像部
４１５  転写部
４１６  クリーニング部
４７  定着部
４２  プリンタ制御部
５０  給紙ユニット
５１  手差し部
５２、５３  カセット
５４  大容量カセット
６０  ＦＮＳ（出力手段）
６１  ＦＮＳ制御部（出力状態指示手段）
６２  加工部
６３ａ、６３ｂ  排紙トレイ
６４  挿入トレイ
７０  自動読取部
７１  ＡＤＦ制御部
Ｐ  記録媒体
Ｐ２  シート体
Ｂ１６１〜Ｂ１６３、Ｂ３１１、Ｂ３１２  ボタン
Ｗ１１  ステータス領域
Ｗ１２  ジョブ領域
Ｗ１３  設定領域
Ｗ１４  倍率設定領域
Ｗ１５  出力サイズ設定領域
Ｗ１６  応用設定領域
Ｗ２１  ユーザ選択領域
Ｗ２２  編集指示領域
Ｗ２３  指示領域
Ｗ３１  区別設定領域
Ｗ３１１  ユーザ／グループ選択領域
Ｗ３１２  トレイ別設定領域
Ｗ３２  指示領域
【図１】
2007025208.tif 000003
【図２】
2007025208.tif 000004
【図３】
2007025208.tif 000005
【図４】
2007025208.tif 000006
【図５】
2007025208.tif 000007
【図６】
2007025208.tif 000008
【図７】
2007025208.tif 000009